(57)【要約】【課題】一般のディスクを再生する場合にユーザーにパレンタル制御の国コード情報を提示する情報再生装置および情報再生方法を提供する。【解決手段】ユーザーが設定可能な第１のパレンタル国コードを記憶する記憶手段と、複数のパレンタル国コードを選択可能なデータ構造を有する情報記憶媒体から第２のパレンタル国コードを選択する選択手段と、前記第１のパレンタル国コードの前記複数のパレンタル国コード中における有無を判定する判定手段と、前記判定が無しの場合に前記複数のパレンタル国コードに対応する国のリストを表示する表示手段とを備えたことを特徴とする情報再生装置。【選択図】  図７
2011198404.tif 000002
【特許請求の範囲】
【請求項１】
ユーザーが設定可能な第１のパレンタル国コードを記憶する記憶手段と、
複数のパレンタル国コードを選択可能なデータ構造を有する情報記憶媒体から第２のパレンタル国コードを選択する選択手段と、
前記第１のパレンタル国コードの前記複数のパレンタル国コード中における有無を判定する判定手段と、
前記判定が無しの場合に前記複数のパレンタル国コードに対応する国のリストを表示する表示手段とを
備えたことを特徴とする情報再生装置。
【請求項２】
前記データ構造はDVD-Video規格に拠るものであることを特徴とする請求項１に記載の情報再生装置。
【請求項３】
さらに前記リストの表示に基づいて外部から前記第２のパレンタル国コードを選択され、この第２のパレンタル国コードを前記第１のパレンタル国コードとして設定することを特徴とする請求項１に記載の情報再生装置。
【請求項４】
ユーザーが設定可能な第１のパレンタル国コードを記憶し、
前記第１のパレンタル国コードの、複数のパレンタル国コードを選択可能なデータ構造を有する情報記憶媒体の前記複数のパレンタル国コード中における有無を判定し、
前記判定が無しの場合に前記複数のパレンタル国コードに対応する国のリストを表示することを特徴とする情報再生方法。
【発明の詳細な説明】
【技術分野】
【０００１】
本発明は、情報再生装置及び情報再生方法に係わり、特にDVD-Videoにおけるパレンタル国コード情報の表示方法に関する。
【背景技術】
【０００２】
DVD-Video規格には、パレンタル制御機能がある。このパレンタル制御は、予めプレーヤに設定された国コード、レベルに従って動作するようになっている。
【０００３】
例えば特許文献１に記載の内容は、ＤＶＤ再生装置を使用する国を検出し、自動的にその国に適したメニュー言語の設定、音声言語の設定、字幕言語の設定、パレンタルレベル定義の設定等を行うものである。
【０００４】
しかしながら、その国に適したパレンタルレベル定義が用意されないディスクを再生する場合の対応については開示されていない。また、コンテンツにどのような国のパレンタル定義が記録されているかユーザーは知ることができないため使い勝手が悪い。
【先行技術文献】
【特許文献】
【０００５】
【特許文献１】特開２０００−３４８４６６号公報
【発明の概要】
【発明が解決しようとする課題】
【０００６】
本発明は、一般のディスクを再生する場合にユーザーにパレンタル制御の国コード情報を提示する技術を提供することを目的とする。
【課題を解決するための手段】
【０００７】
上記課題を解決するために、本発明の情報再生装置は、ユーザーが設定可能な第１のパレンタル国コードを記憶する記憶手段と、複数のパレンタル国コードを選択可能なデータ構造を有する情報記憶媒体から第２のパレンタル国コードを選択する選択手段と、前記第１のパレンタル国コードの前記複数のパレンタル国コード中における有無を判定する判定手段と、前記判定が無しの場合に前記複数のパレンタル国コードに対応する国のリストを表示する表示手段とを備えたことを特徴とする。
【発明の効果】
【０００８】
本発明によれば、一般のディスクを再生する場合にユーザーにパレンタル制御の国コード情報を提示する情報再生装置および情報再生方法が得られる。
【図面の簡単な説明】
【０００９】
【図１】本発明の情報再生装置の一実施形態に係わる動画像再生装置の概略構成を示すブロック図。
【図２】実施形態の動画像再生装置のＭＰＵの概略構成を示す機能ブロック図。
【図３】図１の光ディスク１の論理フォーマットの構造を示す構成図。
【図４】図３に示されるビデオマネージャーの構造を示す構成図。
【図５】実施形態のDVD-Video規格におけるパレンタル制御用データ構造を示すデータ構成図。
【図６】ＰＧＣの構造を示す図。
【図７】実施形態のパレンタル国コード取得のフローチャート。
【図８】実施形態のプレーヤによる国選択メニュー。
【発明を実施するための形態】
【００１０】
本発明による実施形態を図１乃至図８を参照して説明する。
図１は、本発明の情報再生装置の一実施形態に係わる動画像再生装置の概略構成を示す図である。
図１に示すように、動画像再生装置１０は、ディスクドライブ部１０１、ネットワークアクセス部１０２、データプロセッサ部１０４、メモリ部１０５、分離部１０６、ビデオデコーダ部１０７、サブピクチャデコーダ部１０８、グラフィックデコーダ部１０９、オーディオデコーダ部１１０、ビデオプロセッサ部１１１、Ｄ／Ａ変換部１１２、１１３、ＭＰＵ部１１４、キー入力部１１５、ＲＯＭ部１１６を備えている。
【００１１】
ディスクドライブ部１０１は、ＣＤ、ＤＶＤ、ＣｈｉｎａＨＤ ＤＶＤ（登録商標）、Ｂｌｕ−ｒａｙ（登録商標）などの光ディスク１に記録されたデータを読み出し、読み出したデータをデータプロセッサ部１０４及びＭＰＵ部１１４へ供給する。本実施形態では、光ディスク１に記録されたコンテンツデータに基づく表示制御について説明するが、本発明はこれに限定されるものではない。例えば、本発明は、ハードディスクに記録されたコンテンツデータに基づく表示制御、及びＳＤ（登録商標）等のメモリカードに記憶されたコンテンツデータに基づく表示制御であってもよい。
【００１２】
データプロセッサ部１０４は、読み出されたデータに含まれた再生データを分離部１０６へ供給する。分離部１０６は、再生データに含まれたビデオデータ、サブピクチャデータ、グラフィックデータ、オーディオデータを分離し、ビデオデータをビデオデコーダ部１０７へ供給し、サブピクチャデータをサブピクチャデコーダ部１０８へ供給し、グラフィックデータをグラフィックデコーダ部１０９へ供給し、オーディオデータをオーディオデコーダ部１１０へ供給する。
【００１３】
ビデオデコーダ部１０７は、ビデオデータをデコードし、デコードされたビデオデータをビデオプロセッサ部１１１へ供給する。サブピクチャデコーダ部１０８は、サブピクチャデータをデコードし、デコードされたサブピクチャデータをビデオプロセッサ部１１１へ供給する。グラフィックデコーダ部１０９は、グラフィックデータをデコードし、デコードされたグラフィックデータをビデオプロセッサ部１１１へ供給する。オーディオデコーダ部１１０は、オーディオデータをデコードし、デコードされたオーディオデータをＤ／Ａ変換部１１３へ供給する。
【００１４】
ビデオプロセッサ部１１１は、デコードされたビデオデータ、サブピクチャデータ、グラフィックデータを合成し、合成データをＤ／Ａ変換部１１２へ供給する。Ｄ／Ａ変換部１１２は、合成データをアナログビデオ信号へ変換し、アナログビデオ信号を出力する。また、Ｄ／Ａ変換部１１３は、デコードされたオーディオデータをアナログオーディオ信号へ変換し、アナログオーディオ信号を出力する。
【００１５】
また、ネットワークアクセス部１０２は、ネットワークサーバ２等へアクセスし、必要なデータをダウンロードする。例えば、本発明は、ダウンロードデータに基づく表示制御であってもよい。
【００１６】
また、図２に示すように、ＭＰＵ部１１４は、メディア判別部１１４１、管理情報判別部１１４２、デコードモード設定部１１４３、キー入力判別部１１４４、メモリアクセス部１１４５、及び操作音設定部１１４６を備えている。さらに、管理情報判定部１１４２は、ビデオ情報取得部１１４２ａ、テレビジョン方式判別部１１４２ｂを備えている。
【００１７】
メディア判別部１１４１は、光ディスク１から読み出されたデータに基づき、光ディスク１の種別を判別する。管理情報判定部１１４２は、光ディスク１から読み出されたデータに含まれた管理情報に基づき各種判定を行う。例えば、ビデオ情報取得部１１４２ａが管理情報からビデオ情報を取得し、テレビジョン方式判別部１１４２ｂはこのビデオ情報に基づき光ディスク１に記録されたコンテンツに対応したテレビジョン方式を判別し、判別したテレビジョン方式をデコードモード設定部１１４３へ通知する。デコードモード設定部１１４３は、通知されたテレビジョン方式に対応したデコードモードを、ビデオデコーダ部１０７、サブピクチャデコーダ部１０８、及びグラフィックデコーダ部１０９のデコードモードへ設定する。
【００１８】
キー入力判別部１１４４は、キー入力部１１５で入力されたキーを判別する。キー入力部１１５は、動画像再生装置１０の筐体に設けられたキー入力部、又はリモートコントローラに設けられたキー入力部である。キー入力部１１５は、ユーザーにより操作されたキーに対応した信号を送信し、キー入力判別部１１４４は、この信号を受信し、受信した信号からキー入力部１１５に設けられた複数のキーのうちのどのキーが操作されたかを判別する。ＭＰＵ部１１４は、キー操作に対応し、各部を制御し、光ディスク１に記録されたデータを再生したり、再生を停止したり、再生を早送りしたり、メニュー画面を表示するためのメニュー画面情報を出力したり、メニュー画面中の選択項目上のカーソルを移動したり、カーソルで選択された選択項目を決定したりする。
【００１９】
メモリアクセス部１１４５は、メモリ部１０５にアクセスし、データを読み出したり書き込んだりする。さらに、メモリアクセス部１１４５は、ＲＯＭ部１１６にアクセスし、データを読み出したりする。
【００２０】
図１に示した動画像再生装置１０の詳細な動作については、次に説明する光ディスク１の論理フォーマットを参照して後により詳細に説明する。
図３は、図１に示される光ディスク１の論理フォーマットの構造を示している。即ち、図１に示される光ディスク１のリードインエリア２７からリードアウトエリア２６までのデータ記録領域２８は、図３に示されるようなボリューム及びファイル構造を有している。この構造は、論理フォーマットとして特定の規格、例えば、マイクロＵＤＦ（micro UDF ）及びＩＳＯ９６６０に準拠されて定められている。データ記録領域は、物理的に複数のセクタに分割され、その物理的セクタには、連続番号が付されている。下記の説明で論理アドレスは、マイクロＵＤＦ（microUDF）及びＩＳＯ９６６０で定められるように論理セクタ番号（ＬＳＮ）を意味し、論理セクタは、物理セクタのサイズと同様に２０４８バイトであり、論理セクタの番号（ＬＳＮ）は、物理セクタ番号の昇順とともに連続番号が付加されている。
【００２１】
図３に示されるようにこのボリューム及びファイル構造は、階層構造を有し、ボリューム及びファイル構造領域１００、ビデオマネージャー（ＶＭＧ）１０１、少なくとも１以上のビデオタイトルセット（ＶＴＳ）１０２及び他の記録領域１０３を有している。これら領域は、論理セクタの境界上で区分されている。ここで、従来のＣＤと同様に１論理セクタは、２０４８バイトと定義されている。同様に、１論理ブロックも２０４８バイトと定義され、従って、１論理セクタは、１論理ブロックと定義される。
【００２２】
ボリューム及びファイル構造領域１００は、マイクロＵＤＦ及びＩＳＯ９６６０に定められる管理領域に相当し、この領域の記述を介してビデオマネージャー１０１が例えばメモリ部１０５に格納される。ビデオマネージャー１０１には、図４を参照して説明するようにビデオタイトルセットを管理する情報が記述され、ファイル＃０から始まる複数のファイル１０４から構成されている。また、各ビデオタイトルセット（ＶＴＳ）１０２には、後に説明するように圧縮されたビデオデータ、オーディオデータ及び副映像データ及びこれらの再生情報が格納され、同様に複数のファイル１０４から構成されている。ここで、複数のビデオタイトルセット１０２は、最大９９個に制限され、また、各ビデオタイトルセット１０２を構成するファイル１０４（File#jからFile#j+ １１）の数は、最大１２個に定められている。これらファイルも同様に論理セクタの境界で区分されている。
【００２３】
他の記録領域１０３には、上述したビデオタイトルセット１０２を利用可能な情報が記録されている。この他の記録領域１０３は、必ずしも設けられなくとも良い。
図４に示すようにビデオマネージャー１０１は、夫々が各ファイ１０４に相当する３つの項目を含んでいる。即ち、ビデオマネージャー１０１は、ビデオマネージャー情報（ＶＭＧＩ）１０５、ビデオマネージャーメニューの為のビデオオブジェクトセット（ＶＭＧＭ＿ＶＯＢＳ）１０６及びビデオマネージャー情報のバックアップ（ＶＭＧＩ＿ＢＵＰ）１０７から構成されている。ここで、ビデオマネージャー情報（ＶＭＧＩ）１０５及びビデオマネージャー情報のバックアップ（ＶＭＧＩ＿ＢＵＰ）１０７は、必須の項目とされ、ビデオマネージャーメニューの為のビデオオブジェクトセット（ＶＭＧＭ＿ＶＯＢＳ）１０６は、オプションとされている。このＶＭＧＭ用のビデオオブジェクトセット（ＶＭＧＭ＿ＶＯＢＳ）１０６には、ビデオマネージャー１０１が管理する当該光ディスク中のボリュームに関するメニューのビデオデータ、オーディオデータ及び副映像データが格納されている。
【００２４】
続いて図４を参照してビデオの管理データが格納されているビデオマネージャー１０１について説明する。ビデオマネージャー１０１の先頭に配置されるビデオ管理情報１０５は、そのビデオマネージャー自体の情報、タイトルをサーチする為の情報、ビデオマネージャーメニューの再生の為の情報、及びビデオタイトルの属性情報の等のビデオタイトルセット（ＶＴＳ）１０２を管理する情報が記述され、図４に示す順序で４つのテーブル１０８、１０９、１１１、１１０が記録されている。この各テーブル１０８、１０９、１１１、１１０は、論理セクタの境界に一致されている。第１のテーブルであるビデオ管理情報管理テーブル（ＶＭＧＩ＿ＭＡＴ）１０８は、必須のテーブルであってビデオマネージャー１０１のサイズ、このビデオマネージャー１０１中の各情報のスタートアドレス、ビデオマネージャーメニュー用のビデオオブジェクトセット（ＶＭＧＭ＿ＶＯＢＳ）１０６のスタートアドレス及びその属性情報等が記述されている。この属性情報には、ビデオの属性情報、オーディオの属性情報及び副映像の属性情報があり、これらの属性情報よってデコーダ１０７、１０８、１０９、１１０及びビデオプロセッサ部１１１の各部のモードが変更され、ビデオオブジェクトセット（ＶＭＧＭ＿ＶＯＢＳ）１０６が適切なモードで再生される。
【００２５】
また、ビデオマネージャー１０１の第２のテーブルであるタイトルサーチポインターテーブル（ＴＴ＿ＳＲＰＴ）１０９には、装置のキー入力部１１５からのタイトル番号の入力に応じて選定可能な当該光ディスク１中のボリュームに含まれるビデオタイトルセットのスタートアドレスが記載されている。
【００２６】
ビデオマネージャー１０１の第３のテーブルであるビデオマネージャーメニューＰＧＣＩユニットテーブル（ＶＭＧＭ＿ＰＧＣＩ＿ＵＴ）１１０は、ビデオマネージャーメニュー用のビデオオブジェクト（ＶＭＧＭ＿ＶＯＢ）１０６がある場合には、必須項目とされている。ビデオマネージャーメニュー用のビデオオブジェクト（ＶＭＧＭ＿ＶＯＢ）１０６内には、種々の言語に対応したプログラムチェーンが設けられ、この各言語に対応したメニュー用のプログラムチェーンに関する情報が記述されている。
【００２７】
ビデオマネージャー１０１の第４のテーブルであるビデオタイトルセット属性テーブル（ＶＴＳ＿ＡＴＲＴ）１１１には、当該光ディスクのボリューム中のビデオタイトルセット（ＶＴＳ）１０２に定められた属性情報が記載される。即ち、属性情報としてビデオタイトルセット（ＶＴＳ）１０２の数、ビデオタイトルセット（ＶＴＳ）１０２の番号、ビデオの属性、例えば、ビデオデータの圧縮方式等、オーディオストリームの属性、例えば、オーディオの符号化モード等、副映像の属性、例えば、副映像の表示タイプ等がこのテーブルに記載されている。
【００２８】
またパレンタルマネージメントに関する情報、及びビデオタイトルセットの属性に関する方法が含まれる。例えば子供に見せられる映像と見せられない映像をパレンタル情報として管理する情報が記録されたパレンタル管理情報テーブル（ＰＬＴ＿ＭＡＩＴ）がある場合は、ビデオタイトルセットアトリビュートテーブル（ＶＴＳ＿ＡＴＲＴ）の前に位置する。
【００２９】
さてDVD-Video規格におけるパレンタル制御用のデータ構造を図５に示す。図５で一点鎖線より左の部分は図４で述べた部分を簡略に表現したものであるので説明を省略する。
【００３０】
パレンタル管理情報テーブル（ＰＴＬ＿ＭＡＩＴ）情報内のデータ構造として、パレンタル管理情報テーブル情報（ＰＴＬ＿ＭＡＩＴＩ）内には国の数（ＣＴＹ＿Ｎｓ）、ＨＤＶＴＳの数（ＨＤＶＴＳ＿Ｎｓ）、ＰＴＬ＿ＭＡＩＴの終了アドレス（ＰＴＬ＿ＭＡＩＴ＿ＥＡ）のそれぞれの情報が記録され、パレンタル管理情報サーチポインタ（ＰＴＬ＿ＭＡＩ＿ＳＲＰ）は国コード（ＣＴＹ＿ＣＤ）とＰＴＬ＿ＭＡＩの先頭アドレス（ＰＴＬ＿ＭＡＩ＿ＳＡ）の情報を持つ。
【００３１】
また、パレンタル管理情報（ＰＴＬ＿ＭＡＩ）内のデータ構造は図示しないが、パレンタルレベル情報（ＰＴＬ＿ＬＶＬＩ）を有し、パレンタルレベル情報（ＰＴＬ＿ＬＶＬＩ）内にはＨＤＶＭＧ用Ｐａｒｅｎｔａｌ＿ＩＤ＿Ｆｉｅｌｄ（ＰＴＬ＿ＩＤ＿ＦＬＤ＿ＨＤＶＭＧ）とＨＤＶＴＳ用Ｐａｒｅｎｔａｌ＿ＩＤ＿Ｆｉｅｌｄ（ＰＴＬ＿ＩＤ＿ＦＬＤ＿ＨＤＶＴＳ）の情報を有し、更にＨＤＶＴＳ用Ｐａｒｅｎｔａｌ＿ＩＤ＿Ｆｉｅｌｄ（ＰＴＬ＿ＩＤ＿ＦＬＤ＿ＨＤＶＴＳ）の情報内にはＰＧＣ選択用Ｐａｒｅｎｔａｌ＿ＩＤ＿Ｆｉｅｌｄ（ＰＴＬ＿ＩＤ＿ＦＬＤ）が存在する。
【００３２】
次にDVD-Video規格におけるＰＧＣの構造を図６に示す。DVD-Videoディスクに記録されたデータを再生する際のデータ構造について説明する。
DVD-Videoディスクに記録されたデータを再生する際に、再生対象となる１つのコンテンツはタイトルという再生単位に対応する。タイトルの構造は、少なくとも１つのプログラムチェーン（ＰＧＣ：Program Chain）によって構成される。各タイトルの先頭のＰＧＣはエントリＰＧＣと呼ばれ、以後のＰＧＣは、ユーザーの操作や制作者の意図に応じて分岐させることができ、これにより、マルチストーリやパレンタル再生などのＤＶＤ特有の機能を実現することが可能となっている。
【００３３】
ＰＧＣは、メニューまたはタイトル、またはそれらの一部を提供する論理ユニットであり、図６に示すように、再生順序が記述されたＰＧＣ情報（ＰＧＣＩ：PGC Information）と、再生に必要なＶＯＢ内の１つ以上のセルによって構成される。１つのＰＧＣは、整数個のプログラム（ＰＧ：Program）に分割されている。ＰＧは、ＰＧＣの内容を分割した単位であり、１つのＰＧは、整数個のセル（Ｃｅｌｌ）の集まりである。ＰＧＣＩは、プリコマンドエリアおよびポストコマンドエリアとプレゼンテーション・コントロールブロックからなり、プレゼンテーション・コントロールブロックによりセルの再生順序とＶＯＢのプレゼンテーションを制御するためのナビゲーションデータを与えるようになっている。
【００３４】
ＰＧＣＩは、ナビゲーションコマンドと、セルの再生順を示す情報とを含んでおり、そのセルの再生順に従ってＰＧＣが再生される。また、ナビゲーションコマンドにより、ＰＧＣ、ＰＴＴ（Part Of Title）、ＰＧ、セルの各単位でリンクやジャンプなどを設定することが可能となっている。なお、ＰＴＴはタイトルを区切った単位であり、例えば、ユーザーが映画の視聴時に異なるシーンにアクセスできるようにするために使用される。
【００３５】
以上のように、DVD-Videoディスクでは、DVD-Videoゾーンに、プレゼンテーションデータすなわちビデオ、オーディオ、サブピクチャなどを再生するためのデータとともに、再生を制御するためのナビゲーションデータが記録されている。ここで、プレゼンテーションデータには、再生時刻を示す時刻管理情報が含まれており、DVD-Videoディスクの再生装置では、この時刻管理情報に従ってデータを再生することで、映像や音声を同期させることが可能となっている。
【００３６】
処理手順としては、まずDVD-Videoディスクの再生開始時に再生されるＦＰ＿ＰＧＣ（First Play PGC）が存在するか否かを判定する。
存在しない場合は、ユーザー操作によって指定されたタイトルがあるか否かを判定し、タイトルが指定されている場合は次の処理ステップに進み、指定されていない場合は処理を終了する。
【００３７】
ここで、データ再生制御部１２１は、光ディスク１内のＶＭＧを読み出して、ディスク内に存在するタイトルを選択するためのメニュー情報を抽出する。コントローラ１２は、このメニュー情報からメニュー画像を生成して、例えば副映像デコーダ７を通じて出力させる。
【００３８】
上記の存在する場合はまたは上記の次の処理ステップとして、指定されるＰＧＣから順次再生する処理を実行する。なお、一連のタイトルの再生が終了すると、存在しない場合のステップに戻り、次に再生するように選択されたタイトルがない場合には、処理が終了される。
【００３９】
図７は、ディスク挿入からパレンタル制御情報取得までのフローチャートである。
図７において、プレーヤは、ディスクローディング（ステップＳ７０）後、パレンタル機能が有効となっているときは（ステップＳ７１のＹ（Ｙｅｓ））、VMGIのPTL_MAITから、プレーヤに設定されているパレンタル国コードと一致するCTY_CDを検索する（ステップＳ７２）。
【００４０】
一致するCTY_CDが存在する場合は（ステップＳ７２のＹ）、対応するPTL_MATを取得した上で（ステップＳ７３）、First Play PGCを実行する（ステップＳ７４）。
【００４１】
一致するCTY_CDが存在しなかった場合は（ステップＳ７２のＮ）、PTL_MAITに記録されているすべての国コードを列挙したメニューを作成し表示する（ステップＳ７５）。（図８参照）
【００４２】
ユーザーによって決定（ステップＳ７６）された国コードに対応したPTL_MATを取得（ステップＳ７７）した上で、First Play PGCを実行する（ステップＳ７４）。
【００４３】
なお、ステップＳ７１で、パレンタル機能が有効となっているときは（ステップＳ７１のＮ）、プレーヤに設定されているパレンタル国コードと一致するPTL_MATを取得した上で（ステップＳ７３）、First Play PGCを実行する（ステップＳ７４）。
【００４４】
図８は、実施形態におけるプレーヤによるパレンタル制御選択メニューを表したものである。ユーザーへの選択をうながすプロンプトメッセージの下に、ディスクに記録されている全てのパレンタル国コード名が表示されている。ここでは、アメリカとフランスの２つが表示されている。今はアメリカにフォーカスされており、例えばリモコンのカーソルキーで上下にフォーカスを移動させ決定機能を表すボタンを押して選択することができる。
【００４５】
本実施形態は、パレンタル情報が記録されているディスクにおいて、プレーヤに設定されている国コード一致する国のパレンタル情報が無い場合に、プレーヤがディスクに記録されているパレンタル国コードから、パレンタル国コード選択メニューを作成し、ユーザーに国コードを決定させ、設定された国コードのもとにパレンタル制御を行なうものである。
【００４６】
効果として、ユーザーの意図に従った国コードで、パレンタル制御させることができる。換言すれば、意図した国のパレンタル制御に従った再生を行なうことができる。
【００４７】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４８】
１０…情報再生装置、１０１…ディスクドライブモジュール、１０２…ネットワークアクセスモジュール、１０４…データプロセッサ部、１０５…メモリ部、１０６…分離モジュール、１０７…ビデオデコーダ部、１０８…サブピクチャデコーダ部、１０９…グラフィックデコーダ部、１１０…オーディオデコーダ部、１１１…ビデオプロセッサ部、１１２、１１３…Ｄ／Ａ変換モジュール、１１４…ＭＰＵモジュール、１１５…キー入力部、１１６…ＲＯＭ部、１１４１…メディア判別モジュール、１１４２…管理情報判別モジュール、１１４２ａ…ビデオ情報取得モジュール、１１４２ｂ…テレビジョン方式判別モジュール、１１４３…デコードモード設定モジュール、１１４４…キー入力判別モジュール、１１４５…メモリアクセスモジュール。
【図１】
2011198404.tif 000003
【図２】
2011198404.tif 000004
【図３】
2011198404.tif 000005
【図４】
2011198404.tif 000006
【図５】
2011198404.tif 000007
【図６】
2011198404.tif 000008
【図７】
2011198404.tif 000009
【図８】
2011198404.tif 000010